(57)【要約】【課題】  本考案は、遺体搬送中に破れたり、大きく揺動したりすることがなく、製作が容易な遺体収納袋を提供する。【解決手段】  遺体が載置される細長形状の下部シート体と、該下部シート体の長手方向の周縁部に沿って、かつ、前記長手方向の複数箇所に所定間隔をおいて設けられ、平状ベルトの両端を前記下部シート体の上面に重合した状態で接合されてなる把手体と、周縁部が前記下部シート体の上面に接合されて前記下部シート体に載置される遺体を覆うとともに、開閉部が設けられて遺体を出し入れ可能とする、上部シートと、を備えてなることを特徴とする。【選択図】  図１
0003120854.tif 000002
【実用新案登録請求の範囲】
【請求項１】
遺体が載置される細長形状の下部シート体と、
該下部シート体の長手方向の周縁部に沿って、かつ、前記長手方向の複数箇所に所定間隔をおいて設けられ、平状ベルトの両端を前記下部シート体の上面に重合した状態で接合されてなる把手体と、
周縁部が前記下部シート体の上面に接合されて前記下部シート体に載置される遺体を覆うとともに、開閉部が設けられて遺体を出し入れ可能とする、上部シートと、を備えてなることを特徴とする遺体収納袋。
【請求項２】
前記上部シート体及び前記下部シート体は、ポリエチレン製であることを特徴とする請求項１に記載の遺体収納袋。
【考案の詳細な説明】
【技術分野】
【０００１】
本考案は、遺体を収納して搬送するための遺体収納袋に関する。
【背景技術】
【０００２】
災害や事件の発生で死者が出たときは、遺体を現場から速やかに移動させる必要がある。かかる場合、遺体が外部から見えないようにするため、遺体を載せた担架をシートで包んで搬送する方法が一般的に行われている。しかしながら、災害発生現場等では、遺体を載せた担架をシートで包むのに十分な作業空間が確保できなかったり、搬送経路に物が散乱していて足元が不安定であったりすることが多いため、長尺の棒を備える担架を使うことが難しい場合がある。また、遺体が激しく損傷していることも多いため、遺体から流出した血液や排泄物が搬送中に傾けられた担架から滴り落ちることも少なくない。
【０００３】
そこで、矩形状の底体の周縁に縦壁部を設け、さらに縦壁部で形成される上部開口を覆うように蓋体を設けて、蓋体をファスナーで開閉自在にした遺体収納バッグが提案されている（例えば、特許文献１参照）。したがって、この遺体収納バッグによれば、遺体を内部に収納した後、ファスナーを閉じるだけで遺体が外部から見えないようにすることができる。また、縦壁部の上縁外周部に沿って、ロープ体やホース体で形成される把手部が、所定間隔をおいて多数取り付けられているため、搬送作業者が搬送経路の状況に応じて、把手部を適宜持ち変えることにより、安全かつ迅速に搬送作業を行うことができる。
【特許文献１】特開２００３−１９０２３３号公報
【考案の開示】
【考案が解決しようとする課題】
【０００４】
しかしながら、遺体は重量が相当大きいため、底体と縦壁部の接合が不十分である場合には、そこから破れを生じて、遺体から流出した血液や排泄物が外部にこぼれる恐れがある。また、把手部が縦壁部の上縁部に取り付けられていることから、底体に載置された遺体と搬送作業者の手との距離が大きく、搬送作業中にバッグが大きく揺れて、搬送作業がし難くなる等の不都合を生じ得る。さらに、把手部として、ロープ体やホース体のように断面円形のものを採用すると、縦壁部に対する固定がしにくく、製作コストが高くなるという問題がある。
【０００５】
本考案は、斯かる実情に鑑み、遺体搬送中に破れたり、大きく揺動したりすることがなく、製作が容易な遺体収納袋を提供するものである。
【課題を解決するための手段】
【０００６】
請求項１の考案は、遺体が載置される細長形状の下部シート体と、該下部シート体の長手方向の周縁部に沿って、かつ、前記長手方向の複数箇所に所定間隔をおいて設けられ、平状ベルトの両端を前記下部シート体の上面に重合した状態で接合されてなる把手体と、周縁部が前記下部シート体の上面に接合されて前記下部シート体に載置される遺体を覆うとともに、開閉部が設けられて遺体を出し入れ可能とする、上部シートと、を備えてなることを特徴とする遺体収納袋を提供する。
【０００７】
請求項２の考案は、前記上部シート体及び前記下部シート体は、ポリエチレン製であることを特徴とする請求項１に記載の遺体収納袋を提供する。
【考案の効果】
【０００８】
本考案の請求項１に記載の遺体収納袋によれば、下記の優れた効果を奏する。遺体を載置する下部シート体に直接、把手体を取り付けるようにしたので、下部シート体を構成するシート材が十分な強度を備えていれば、遺体の重みで袋が破れる心配がない。その結果として、遺体から流出した血液や排泄物が搬送中にこぼれ出す心配が少ないものである。また、把手体と遺体の距離が小さいため、搬送中に遺体が大きく揺れることがなく、搬送作業がし易いものである。特に把手体は平状ベルトで形成されているため、引き上げ時に、下部シート体と把手体の接合面が水平状態に保たれ、その結果、搬送中の遺体の揺れを抑制する効果が期待できるものである。さらに、平状ベルトの採用により、下部シート体に対して接合する（例えば縫い付ける）ことが容易に行え、製作コストを低く抑えることができるものである。
【０００９】
本考案の請求項２に記載の遺体収納袋によれば、請求項１に記載の遺体収納袋が奏する効果に加えて、以下の優れた効果を奏する。遺体収納袋は、遺体から流出する血液や排泄物による汚れで再利用が難しいが、上部シート体及び下部シート体をポリエチレン製としたので、焼却処理可能となり廃棄処分を容易に行うことができる。
【考案を実施するための最良の形態】
【００１０】
以下、本考案の実施形態について添付図面を参照しながら説明する。図１は、本実施形態に係る遺体収納袋の平面図である。図２（ａ）は、図１のＡ−Ａ断面に相当する図である。図２（ｂ）は、本実施形態に係る遺体収納袋に遺体を収納して搬送する際の様子を説明する図、図２（ｃ）は、（ｂ）に対応する図であって、把手体に平状ベルトを使わない場合の不都合を説明する図である。
【００１１】
本実施形態に係る遺体収納袋は、図１に示されるように、主として、搬送する遺体が載置される矩形状の下部シート体１と、下部シート体１の長手方向の周縁部１ａの両側に沿うように、かつ、長手方向の両端と中央部の三箇所（複数箇所）に所定間隔をおいて設けられる把手体２と、下部シート体１に載置される遺体を覆うように、周縁部３ａ，３ｂが下部シート体１の上面に接合される上部シート体３と、を備えてなる。
【００１２】
下部シート体１は、不透明のポリエチレン樹脂製シート材で形成され、図２（ａ）に示されるように、周縁部１ａが三枚重ねとなるように折り返されている。この周縁部１ａの上面側には、布製の平状ベルト２１が重合され、さらに平状ベルト２１の両端２１ａを覆うようにポリエチレン樹脂製のシート材で形成された補強パッチ２２が重合され、これらの重合部分が縫い合わされることにより、平状ベルト２１の両端２１ａ間に作業者の手を通すことができる約２０センチメートルの隙間を備えた把手体２が形成されている。
【００１３】
また、図１及び図２（ａ）に示されるように、平状ベルト２１が縫い付けられる下部シート体１の周縁部１ａの内側には、遺体を上方から覆う上部シート体３の周縁部３ａが２枚重ねとなるように折り返された状態で縫い付けられている。また、図１に示されるように、下部シート体１の上下端には、上部シート体３の周縁部３ｂが縫い付けられている。さらに、上部シート体３には、開閉部（ファスナー）３ｃが長手方向に延びるコ字状に形成されており、遺体が出し入れ可能とされている。
【００１４】
上部シート体３は、不透明のポリエチレン樹脂製シート材で形成されているが、遺体の顔面を確認できるようにするため、遺体の頭部に対応する部分には、透明のポリエチレン樹脂製シート材からなる窓３ｄが形成されている。窓３ｄは、不透明のポリエチレン樹脂製のカバー３１で覆われているが、面ファスナー３１ａを外して捲り上げることにより、窓３ｄが外部に露出するようになっている。
【００１５】
その他、上部シート体３の上面には、遺体に関する情報や所見を記入する書面を外部から見られる状態で保持する透明の書類ポケット３２や、遺留品を入れて面ファスナー３３ａで封をすることができる遺留品ポケット３３が高周波溶着で設けられており、遺体と関係書類等が同時に搬送できるように構成されている。なお、上部シート体３は、遺体に沿うように立体的に縫合されているが、平坦状のものとしても良い。
【００１６】
（本実施形態に係る遺体収納袋の特徴点）
上記のとおりであるから、本実施形態に係る遺体収納袋は、以下のような特徴点を有している。
【００１７】
第一に、本実施形態に係る遺体収納袋は、遺体を載置する下部シート体１に直接、把手体２を取り付けられているので、上記従来の遺体搬送バッグのように遺体の重みがまともに加わる、シート材同士の接合部分はなく、下部シート体１自体が十分な強度を備えておりさえすれば、袋が破れることはない。その結果、遺体から流出した血液等が搬送中にこぼれることを防止できる。なお、シート同士の縫い目から血液等が染み出ることが考えられるが、図２（ａ）に示されるように、搬送時は、縫い目が上方に引き上げられて大量にこぼれ出る心配はない。
【００１８】
第二に、本実施形態に係る遺体収納袋は、下部シート体１に把手体２を直接取り付けることから、把手体２を握る搬送作業者の手と遺体の距離が小さくなり、搬送中に遺体が水平方向に大きく揺れて、搬送作業性が悪化することが防止される。
【００１９】
第三に、本実施形態に係る遺体収納袋は、把手体２は、平状ベルト２１で形成されているため、引き上げられたときに、図２（ｂ）に示されるように、下部シート体１と把手体２の接合面となる周縁部１ａが、図２（ｂ）に示されるように、水平状態に保たれ、搬送中の遺体の揺れを一層抑制することが期待できる。さらに、平状ベルト２１は、下部シート体１に対する縫合が容易で、製作コストを低く抑えることができる。なお、上記従来の遺体搬送バッグのように、ロープ体やホース体等の断面円形の材料で把手体を形成する場合は、取り付け幅が小さいため、縫合作業が難しく、また、図３（ｂ）に両矢印で示されるように、下部シート体１が水平方向に大きく揺動して搬送作業性が悪化する恐れがある。
【００２０】
第四に、本実施形態に係る遺体収納袋は、下部シート体１及び上部シート体３が焼却時に有毒ガスの出ないポリエチレン製樹脂で形成され、また、把手体２が布製ベルトで形成されているため、焼却処分することができる。
【００２１】
（上記実施形態の変形例）
上記実施形態に係る遺体収納袋は、遺体関連情報を記載する書面と遺留品を入れるポケット３２,３３を遺体の足元側に並設したが、例えば、図３に示されるように、窓３ｄの近傍に、遺体関連情報の記載書面を入れる書類ポケット３２を設けて、遺体の顔と遺体関連情報を速やかに照合できるようにし、遺留品ポケット３３を大きくして、多くの遺留品を入れることができるようにしても良い。
【００２２】
上記実施形態に係る遺体収納袋は、下部シート体１と上部シート体３を縫い合わせとしたが、これらの接合部分に遺体の重みが直接加わることはないため、ポケット類と同様に、高周波等で接着することとして、血液等の漏れをより確実に防止するようにしても良い。また、下部シート体１は矩形状以外の細長形状としても良い。
【００２３】
その他、本考案の遺体収納袋は、上記した実施の形態に限定されず、本考案の要旨を逸脱しない範囲内において種々変更を加え得ることは勿論である。
【図面の簡単な説明】
【００２４】
【図１】本実施形態に係る遺体収納袋を示す平面図。
【図２】（ａ）は、図１のＡ−Ａ断面に相当する図、（ｂ）は、遺体収納袋に遺体を収納して搬送する際の様子を説明する図、（ｃ）は、（ｂ）に対応する図であって、把手体に平状ベルトを使わない場合の不都合を説明する図。
【図３】本実施形態に係る遺体収納袋の変形例を示す平面図。
【符号の説明】
【００２５】
１    下部シート体
１ａ    周縁部（下部シート体）
２    把手体
３    上部シート体
３ａ，３ｂ    周縁部（上部シート体）
３ｃ    ファスナー（開閉部）
【図１】
0003120854.tif 000003
【図２】
0003120854.tif 000004
【図３】
0003120854.tif 000005